(57)【要約】【課題】基準用紙のプロセスインキの組合せのカラーチャートから求めた測定測色値により、基準用紙だけでなく他用紙の再現色の整合性がとれた補正を、予測測色値から作成した再現色プロファイルに対して行う再現色プロファイル補正システムを提供する。【解決手段】本発明の再現色プロファイル補正システムは、再現色プロファイルにおけるプロセスインキ組合せによる再現色の予測測色値を補正するシステムであり、基準用紙におけるインキ組合せにおけるプロセスインキ組合せに対応して予測した再現色の測色値である予測測色値と、当該プロセスインキ組合せに対応する、基準用紙におけるカラーチャートの再現色を測定した測色値である測定測色値との差分である差分測色値を算出する差分測色値算出部と、差分測色値により、基準用紙及び当該基準用紙と異なる種類の他の用紙の各々のインキ組合せにおける再現色の予測測色値を補正する測色値補正部とを備える。【選択図】図１
2018074542.tif 000002
【特許請求の範囲】
【請求項１】
再現色プロファイルにおける、プロセスインキの制御値の組合せであるプロセスインキ組合せによる再現色の予測測色値を補正する再現色プロファイル補正システムであり、
基準用紙における前記インキ組合せにおけるプロセスインキ組合せに対応して予測した再現色の測色値である予測測色値と、当該プロセスインキ組合せに対応する、前記基準用紙におけるカラーチャートの再現色を測定した測色値である測定測色値との差分である差分測色値を算出する差分測色値算出部と、
前記差分測色値により、前記基準用紙及び当該基準用紙と異なる種類の他の用紙の各々の前記インキ組合せにおける再現色の予測測色値を補正する測色値補正部と
を備えることを特徴とする再現色プロファイル補正システム。
【請求項２】
前記基準用紙と前記他の用紙との色域の差を示すパラメータに基づいて、前記差分測色値を前記他の用紙の色域に対応した変換差分測色値に変換する差分予測値変換部
をさらに備えることを特徴とする請求項１に記載の再現色プロファイル補正システム。
【請求項３】
前記パラメータが前記基準用紙と前記他の用紙との明度の比である
ことを特徴とする請求項２に記載の再現色プロファイル補正システム。
【請求項４】
前記パラメータが、単色のプロセスインキの各々の色成分がベタで、前記基準用紙と前記他の用紙との各々に印刷されたチャートの色空間における測色値の座標点それぞれを、２次元平面に投影し、前記基準用紙と前記他の用紙との各々の前記２次元平面上に投影された前記座標点が形成する多角形それぞれの面積比である
ことを特徴とする請求項２に記載の再現色プロファイル補正システム。
【請求項５】
前記パラメータが、単色のプロセスインキの各々の色成分がベタで、前記基準用紙と前記他の用紙との各々に印刷されたチャートの色空間における測色値の座標点が形成する多面体の表面の面積比である
ことを特徴とする請求項２に記載の再現色プロファイル補正システム。
【請求項６】
前記パラメータが、単色のプロセスインキの各々の色成分がベタで、前記基準用紙と前記他の用紙との各々に印刷されたチャートの色空間における測色値の座標点が形成する多面体それぞれの体積比である
ことを特徴とする請求項２に記載の再現色プロファイル補正システム。
【請求項７】
前記パラメータが、単色のプロセスインキの各々の色成分が複数の制御値の濃度で、前記基準用紙と前記他の用紙との各々に印刷されたチャートの色空間における予測測色値の座標点を包含する３次元形状それぞれの体積比である
ことを特徴とする請求項２に記載の再現色プロファイル補正システム。
【請求項８】
前記測色値補正部が、
前記プロセスインキの制御値の組合せであるプロセスインキ組合せと特色インキの制御値の組合せである特色インキ組合せとからなるインキ組合せによる再現色の測色値を補正する
ことを特徴とする請求項１から請求項７のいずれか一項に記載の再現色プロファイル補正システム。
【請求項９】
前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出部と、
前記特色インキの制御値毎に、前記差分測色値に乗ずる調整係数を、前記包含領域の大きさに基づいて算出する調整係数算出部と
を備えることを特徴とする請求項８に記載の再現色プロファイル補正システム。
【請求項１０】
前記測色値補正部が、
前記特色インキ組合せに対応した前記調整係数を、前記差分測色値に対して乗じて、前記特色インキ組合せを有する特色インキの前記予測測色値を補正する
ことを特徴とする請求項９に記載の再現色プロファイル補正システム。
【請求項１１】
調整係数算出部が、
前記包含領域の大きさが特色インキ組合せにおける制御値が「０」の場合における、所定の色空間に分布する、プロセスインキそれぞれの制御値が異なる組合せの測色値を包含する前記包含領域の大きさを基準値とし、当該基準値により前記特色インキの網点面積率毎の包含領域の大きさを除算して前記調整係数を算出する
ことを特徴とする請求項９に記載の再現色プロファイル補正システム。
【請求項１２】
前記包含領域の大きさが、前記所定の色空間における前記包含領域の体積である
ことを特徴とする請求項９から請求項１１のいずれか一項に記載の再現色プロファイル補正システム。
【請求項１３】
前記包含領域の大きさが、前記所定の色空間における前記包含領域を２次元平面に投影した際の投影面の面積である
ことを特徴とする請求項９から請求項１１のいずれか一項に記載の再現色プロファイル補正システム。
【請求項１４】
前記包含領域の大きさが、前記所定の色空間における前記測色値の分布を包含する直方体の対角線の長さである
ことを特徴とする請求項９から請求項１１のいずれか一項に記載の再現色プロファイル補正システム。
【請求項１５】
再現色プロファイルにおける、プロセスインキの制御値の組合せであるプロセスインキ組合せによる再現色の予測測色値を補正する再現色プロファイル補正方法であり、
差分測色値算出部が、基準用紙における前記インキ組合せにおけるプロセスインキ組合せに対応して予測した再現色の測色値である予測測色値と、当該プロセスインキ組合せに対応する、前記基準用紙におけるカラーチャートの再現色を測定した測色値である測定測色値との差分である差分測色値を算出する差分測色値算出過程と、
測色値補正部が、前記差分測色値により、前記基準用紙及び当該基準用紙と異なる種類の他の用紙の各々の前記インキ組合せにおける再現色の予測測色値を補正する測色値補正過程と
を含むことを特徴とする再現色プロファイル補正方法。
【請求項１６】
再現色プロファイルにおける、プロセスインキの制御値の組合せであるプロセスインキ組合せによる再現色の予測測色値を補正する再現色プロファイル補正システムとして、コンピュータを機能させるためのプログラムであり、
前記コンピュータを、
基準用紙における前記インキ組合せにおけるプロセスインキ組合せに対応して予測した再現色の測色値である予測測色値と、当該プロセスインキ組合せに対応する、前記基準用紙におけるカラーチャートの再現色を測定した測色値である測定測色値との差分である差分測色値を算出する差分測色値算出手段、
前記差分測色値により、前記基準用紙及び当該基準用紙と異なる種類の他の用紙の各々の前記インキ組合せにおける再現色の予測測色値を補正する測色値補正手段
として機能させるためのプログラム。
【発明の詳細な説明】
【技術分野】
【０００１】
本発明は、特色ＤＤＣＰ用の再現色プロファイル補正システム、再現色プロファイル補正方法及びプログラムに関する。
【背景技術】
【０００２】
一般に、プリンタや印刷機などの出力装置に対応させ、出力装置毎の色空間での色管理をするため、出力装置が出力する印刷物における色の再現色プロファイルが作成される（例えば、特許文献１及び特許文献２参照）。この再現色プロファイルの作成の際、予め決められた各インキの制御値の組合せからなるカラーチャートを、プロファイル生成対象の出力装置から出力させる。
そして、カラーチャートにおいて、インキの制御値の組合せ毎のチャートの各々を測色し、この測定した測色値である測定測色値とこの測色値に対応するインキの制御値の組み合わせとの対応関係を取得し、再現色プロファイルを作成する。
【０００３】
通常、プロセスインキに対応した再現色プロファイルは、通常用いられるプロセスインキ、例えばＣ（Cyan）Ｍ（Magenta）Ｙ（Yellow）Ｋ（Black）の色成分のインキの掛け合わせによる再現色を管理する。このプロセスインキに対応した再現色プロファイルは、予め各色成分のプロセスインキの制御値の組み合わせのカラーチャートが印刷され、測定測色値が測定されて生成されている。
【先行技術文献】
【特許文献】
【０００４】
【特許文献１】特表２００７−５１６６６３号公報
【特許文献２】特開２００６−３２９７５３号公報
【発明の概要】
【発明が解決しようとする課題】
【０００５】
しかしながら、印刷に用いる用紙の種類が多岐にわたる場合、そのすべての用紙に対して、プロセスインキの制御値の組み合わせのカラーチャートを印刷し、再現色プロファイルを生成することは困難である。さらに、プロセスインキに加えて、特色インキも印刷において使用する場合、特色インキの色は、印刷の度に異なる色を使用するため、予め決められた制御値のカラーチャートを印刷して再現色プロファイルを生成することは、基準用紙においても困難である。
【０００６】
本発明は、このような状況に鑑みてなされたもので、基準となる用紙（基準用紙）のプロセスインキの組合せのカラーチャートから求めた測定測色値により、基準用紙だけでなく他の用紙における再現色の整合性がとれた補正を、予測測色値から作成した再現色プロファイルに対して行うことが可能な再現色プロファイル補正システム、再現色プロファイル補正方法及びプログラムを提供する。
【課題を解決するための手段】
【０００７】
本発明の再現色プロファイル補正システムは、再現色プロファイルにおける、プロセスインキの制御値の組合せであるプロセスインキ組合せによる再現色の予測測色値を補正する再現色プロファイル補正システムであり、基準用紙における前記インキ組合せにおけるプロセスインキ組合せに対応して予測した再現色の測色値である予測測色値と、当該プロセスインキ組合せに対応する、前記基準用紙におけるカラーチャートの再現色を測定した測色値である測定測色値との差分である差分測色値を算出する差分測色値算出部と、前記差分測色値により、前記基準用紙及び当該基準用紙と異なる種類の他の用紙の各々の前記インキ組合せにおける再現色の予測測色値を補正する測色値補正部とを備えることを特徴とする。
【０００８】
本発明の再現色プロファイル補正システムは、前記基準用紙と前記他の用紙との色域の差を示すパラメータに基づいて、前記差分測色値を前記他の用紙の色域に対応した変換差分測色値（実施形態においては差分予測値）に変換する差分予測値変換部をさらに備えることを特徴とする。
【０００９】
本発明の再現色プロファイル補正システムは、前記パラメータが前記基準用紙と前記他の用紙との明度の比であることを特徴とする。
【００１０】
本発明の再現色プロファイル補正システムは、前記パラメータが、単色のプロセスインキの各々の色成分がベタで、前記基準用紙と前記他の用紙との各々に印刷されたチャートの色空間における測色値の座標点それぞれを、２次元平面に投影し、前記基準用紙と前記他の用紙との各々の前記２次元平面上に投影された前記座標点が形成する多角形それぞれの面積比であることを特徴とする。
【００１１】
本発明の再現色プロファイル補正システムは、前記パラメータが、単色のプロセスインキの各々の色成分がベタで、前記基準用紙と前記他の用紙との各々に印刷されたチャートの色空間における測色値の座標点が形成する多面体の表面の面積比であることを特徴とする。
【００１２】
本発明の再現色プロファイル補正システムは、前記パラメータが、単色のプロセスインキの各々の色成分がベタで、前記基準用紙と前記他の用紙との各々に印刷されたチャートの色空間における測色値の座標点が形成する多面体それぞれの体積比であることを特徴とする。
【００１３】
本発明の再現色プロファイル補正システムは、前記パラメータが、単色のプロセスインキの各々の色成分が複数の制御値の濃度で、前記基準用紙と前記他の用紙との各々に印刷されたチャートの色空間における予測測色値の座標点を包含する３次元形状それぞれの体積比であることを特徴とする。
【００１４】
本発明の再現色プロファイル補正システムは、前記測色値補正部が、前記プロセスインキの制御値の組合せであるプロセスインキ組合せと特色インキの制御値の組合せである特色インキ組合せとからなるインキ組合せによる再現色の測色値を補正することを特徴とする。
【００１５】
本発明の再現色プロファイル補正システムは、前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出部と、前記特色インキの制御値毎に、前記差分測色値に乗ずる調整係数を、前記包含領域の大きさに基づいて算出する調整係数算出部とを備えることを特徴とする。
【００１６】
本発明の再現色プロファイル補正システムは、前記測色値補正部が、前記特色インキ組合せに対応した前記調整係数を、前記差分測色値に対して乗じて、前記特色インキ組合せを有する特色インキの前記予測測色値を補正することを特徴とする。
【００１７】
本発明の再現色プロファイル補正システムは、調整係数算出部が、前記包含領域の大きさが特色インキの網点面積率が「０」の場合における、所定の色空間に分布する、プロセスインキそれぞれの網点面積率が異なる組合せの測色値を包含する前記包含領域の大きさを基準値とし、当該基準値により前記特色インキの網点面積率毎の包含領域の大きさを除算して前記調整係数を算出することを特徴とする。
【００１８】
本発明の再現色プロファイル補正システムは、前記包含領域の大きさが、前記所定の色空間における前記包含領域の体積であることを特徴とする。
【００１９】
本発明の再現色プロファイル補正システムは、前記包含領域の大きさが、前記所定の色空間における前記包含領域を２次元平面に投影した際の投影面の面積であることを特徴とする。
【００２０】
本発明の再現色プロファイル補正システムは、前記包含領域の大きさが、前記所定の色空間における前記測色値の分布を包含する直方体の対角線の長さであることを特徴とする。
【００２１】
本発明の再現色プロファイル補正方法は、再現色プロファイルにおける、プロセスインキの制御値の組合せであるプロセスインキ組合せによる再現色の予測測色値を補正する再現色プロファイル補正方法であり、差分測色値算出部が、基準用紙における前記インキ組合せにおけるプロセスインキ組合せに対応して予測した再現色の測色値である予測測色値と、当該プロセスインキ組合せに対応する、前記基準用紙におけるカラーチャートの再現色を測定した測色値である測定測色値との差分である差分測色値を算出する差分測色値算出過程と、測色値補正部が、前記差分測色値により、前記基準用紙及び当該基準用紙と異なる種類の他の用紙の各々の前記インキ組合せにおける再現色の予測測色値を補正する測色値補正過程とを含むことを特徴とする。
【００２２】
本発明のプログラムは、再現色プロファイルにおける、プロセスインキの制御値の組合せであるプロセスインキ組合せによる再現色の予測測色値を補正する再現色プロファイル補正システムとして、コンピュータを機能させるためのプログラムであり、前記コンピュータを、基準用紙における前記インキ組合せにおけるプロセスインキ組合せに対応して予測した再現色の測色値である予測測色値と、当該プロセスインキ組合せに対応する、前記基準用紙におけるカラーチャートの再現色を測定した測色値である測定測色値との差分である差分測色値を算出する差分測色値算出手段、前記差分測色値により、前記基準用紙及び当該基準用紙と異なる種類の他の用紙の各々の前記インキ組合せにおける再現色の予測測色値を補正する測色値補正手段として機能させるためのプログラムである。
【発明の効果】
【００２３】
以上説明したように、本発明によれば、基準用紙のプロセスインキの組合せのカラーチャートから求めた測定測色値により、基準用紙だけでなく他の用紙における再現色の整合性がとれた補正を、予測測色値から作成した再現色プロファイルに対して行うことが可能な再現色プロファイル補正システム、再現色プロファイル補正方法及びプログラムを提供することが可能となる。
【図面の簡単な説明】
【００２４】
【図１】本発明の第１の実施形態による再現色プロファイル補正システム１の構成例を示すブロック図である。
【図２】差分測色値記憶部１６に記憶されているプロセス補正値テーブルの構成例を示す図である。
【図３】本実施形態におけるＬ＊ａ＊ｂ＊色空間での予測測色値の補正を説明する図である。
【図４】第１の実施形態における再現色プロファイルの補正の動作例を示すフローチャートである。
【図５】本発明の第２の実施形態による再現色プロファイル補正システム１Ａの構成例を示すブロック図である。
【図６】パラメータの説明を行なうためのＬ＊ａ＊ｂ＊色空間における測定測色値の座標点を示す概念図である。
【図７】特色インキとプロセスインキとの再現色の比較を行う評価チャートを示す図である。
【図８】本発明の第３の実施形態による再現色プロファイル補正システム１Ｂの構成例を示すブロック図である。
【図９】プロセスインキ組合せと特色インキとして黄緑色を用いた特色インキ組合せとのインキ組合せによる予測測色値の分布を示す図である。
【図１０】プロセスインキ組合せと特色インキとして茶色を用いた特色インキ組合せとのインキ組合せによる予測測色値の分布を示す図である。
【図１１】特色インキの制御値毎の調整係数を示す調整係数テーブルの構成例を示す図である。
【発明を実施するための形態】
【００２５】
本発明において、再現色プロファイルを構成する色予測テーブルには、プロセスインキ及び特色インキ各々のチャンネルの各々のインキの階調を制御する制御値（例えば、網点面積率など）を一定の間隔で区切った格子点上に、この格子点に対応する組合せによる印刷において再現される測色値が示されている。以下、プロセスインキ組合せは、プロセスインキにおける各色成分（ＣＭＹＫ）のインキの制御値の組合せを示している。特色インキ組合せは、１個あるいは２個以上の複数の特色インキの制御値の組合せを示している。
【００２６】
ここで、基準用紙のプロセスインキ組み合わせに対しては、多数のカラーチャート（以下、チャートとも言う）を実測した測定測色値（を元に生成した実測プロファイル）と、ベタの測定測色値およびドットゲインなどのパラメータを色予測モデルに適用して求めた予測測色値を元に生成した予測プロファイルが生成されている。これら測定測色値および予測測色値の差分を求めることにより、プロセスインキの任意の組み合わせに対して、予測測色値と測定測色値の差分測色値（すなわちプロセス補正値）を計算することができる。
【００２７】
しかしながら、再現色プロファイルを作成する際、プロセスインキに限定したとしても、使用する印刷用紙が多岐にわたる場合には、そのすべての用紙の各々に対してカラーチャートを印刷し、再現色プロファイルを生成することが現実的ではない場合もある。例えば、余り使用しない種類の紙である場合、枚数あたりのコストが高くなり、印刷物の単価が上昇してしまう。このため、本発明においては、多数のカラーチャートを印刷してプロファイルを作成する作業は、ある限定された用紙である基準用紙に対してのみ行い、他の用紙（他用紙）については、より少ない（例えば、以下の説明においてはベタ色のみ）数のパッチの印刷結果を用いる。すなわち、本発明においては、より少ないパッチの印刷結果と、ドットゲインなどのパラメータから、再現色予測モデルを用いて予測測色値を算出して予測プロファイルを作成し、この  予測プロファイルを基準用紙のプロセス補正値（差分測色値）を適用して補正し、他用紙の再現色プロファイルを作成する。
【００２８】
このとき、基準用紙においては、多数のチャートを測定して生成した実測プロファイルと、再現色予測モデルを用いて予測測色値を算出して生成した予測プロファイルの両方を生成しておく。これら実測プロファイルの実測測色値と予測プロファイルの予測測色値との差分を求めることにより、ＣＭＹＫのすべての組み合わせに対して、予測プロファイルを補正するためのプロセス補正値である差分測色値を求める。この基準用紙の差分測色値を他用紙用のプロセス補正値である差分予測値として、他用紙で求めた予測プロファイルにおける予測測色値の補正に適用することにより、プロセス印刷に関しては、多数のチャートを印刷しない他用紙についても、再現色プロファイルの精度を向上することが可能となる。
【００２９】
一方、特色インキをプロセスインキと組み合わせて用いる場合、特色に関しては印刷物毎に用いる特色の色が決定される。このため、プロセスインキの組合せに対して特色インキを組み合わせる場合、プロセスインキの組み合わせのみの場合のように、予めカラーチャートを印刷し、印刷されたカラーチャートから測定測色値を得ることができない。すなわち、プロセスインキのみの組合せの場合と異なり、特色インキを組み合わせる場合には、実際に印刷されたカラーチャートから測定測色値を求めて再現色プロファイルを作成することが現実的に行えない。これは、先に述べた基準用紙についても同様である。
【００３０】
したがって、プロセスインキと特色インキとを組み合わせて用いる場合、この組み合わせにおける再現色の測色値の予測を行い、予測結果の予測測色値が再現色プロファイルの生成に用いられる。この再現色の予測は、例えば、特色のベタの測定測色値、網点のドットゲインなどのパラメータを、色予測システムの再現色予測モデル（あるいは色予測モデル）に対して入力し、特色インキ同士、もしくはプロセスインキと特色インキとを組み合わせた再現色の予測測色値を求めている。
そして、色予測システムが予測した予測測色値に基づいた予測プロファイルを、基準用紙で求めた差分測色値に基づく差分予測値により補正し、プロセスインキと特色インキとの組み合わせによる、他用紙の印刷物に対応した再現色プロファイルが予測プロファイルから生成される。
【００３１】
＜第１の実施形態＞
以下、本発明の第１の実施形態について、図面を参照して説明する。
図１は、本発明の第１の実施形態による再現色プロファイル補正システム１の構成例を示すブロック図である。
図１において、再現色プロファイル補正システム１は、入出力部１１、差分測色値算出部１２、測色値補正部１３、再現色プロファイル記憶部１４、基準用紙プロファイル記憶部１５及び差分測色値記憶部１６の各々を備えている。以下、本実施形態においては、測色値を示す空間をＬ＊ａ＊ｂ＊色空間として説明する。本実施形態においては、他用紙のＣＭＹＫのプロセスインキのベタの測定測色値が測定されている。
【００３２】
入出力部１１は、外部装置から供給される予測測色値により求められた、再現色プロファイルを読み込み、再現色プロファイル記憶部１４に対して書き込んで記憶させる。ここで読み込まれる再現色プロファイルは、基準用紙及び基準用紙とは異なる用紙である他用紙の各々の再現色プロファイルである。本実施形態において、再現色プロファイルは、例えば、再現色予測モデルによるシミュレーションにより求めた予測測色値により生成されており、ＣＭＹＫによるプロセスインキ組合せ及び特色インキの組合せからなるインキ組合せと、このインキ組合せによる再現色の予測測色値とが対応したテーブル構成（再現色プロファイルテーブル）となっている。再現色予測モデルは、本実施形態において、上記インキ組合せの予測測色値をシミュレーションにより得られるものであれば、いずれでも良い。
【００３３】
入出力部１１は、外部装置から供給される基準用紙プロファイルを読み込み、基準用紙プロファイル記憶部１５に対して書き込んで記憶させる。本実施形態における基準用紙プロファイルは、基準となる基準用紙で多数のチャートを印刷し測定した実測の測定測色値から生成される基準実測プロファイルと、ベタの測定値及びドットゲインなどのパラメータを色予測モデルに適用し、モデルにより算出される予測測色値から生成される基準予測プロファイルとを含んで構成される。また、入出力部１１は、外部から供給される制御指令を、再現色プロファイル補正システム１の各部に出力する。
【００３４】
差分測色値算出部１２は、基準用紙プロファイル記憶部１５から、基準用紙の基準実測プロファイルと基準予測プロファイルとの各々を読み出す。そして、差分測色値算出部１２は、プロセスインキ組合せ（プロセスインキ各々の制御値の組合せ）に対して、基準実測プロファイルと基準予測プロファイルのそれぞれから算出される測色値の差分である差分測色値を求める。この差分測色値は、基準予測プロファイルを基準実測プロファイルに近づけるために、基準予測プロファイルに適用するプロセス補正値と考えることができる。
【００３５】
本実施形態においては、上記差分測色値を、他用紙の再現色プロファイルにおける予測値を補正するプロセス補正値である差分予測値として用いる。
差分測色値（ΔＬ１，Δａ１，Δｂ１）＝差分予測値（ΔＬ１’，Δａ１’，Δｂ１’）
そして、差分測色値算出部１２は、以下の式により、差分測色値を各プロセスインキ組合せに対して算出する。
差分測色値（ΔＬ１，Δａ１，Δｂ１）
＝測定測色値（Ｌ１，ａ１，ｂ１）−予測測色値（Ｌ１−０，ａ１−０，ｂ１−０）
ここで、ΔＬ１＝Ｌ１−Ｌ１−０、Δａ＝ａ１−ａ１−０、Δｂ＝ｂ１−ｂ１−０である。
【００３６】
すなわち、他用紙に対して擬似的な測定測色値として疑似測定測色値を仮想的に設け、以下の式に示すように、この疑似測定測色値と予測プロファイルにおける予測測色値との差分を差分予測値とし、この差分予測値として差分測色値を用いている。
差分予測値（ΔＬ１’，Δａ１’，Δｂ１’）
＝疑似測定測色値（Ｌｐ１，ａｐ１，ｂｐ１）−予測測色値（Ｌ１＿０，ａ１＿０，ｂ１＿０）
ここで、ΔＬ１’＝Ｌｐ１−Ｌｐ１＿０、Δａ’＝ａｐ１−ａ１＿０、Δｂ’＝ｂｐ１−ｂ１＿０である。
【００３７】
そして、差分測色値算出部１２は、求めた差分測色値及び予測測色値の各々を、プロセスインキ組合せに対応させ、それぞれ差分測色値記憶部１６の差分測色値テーブルに書き込んで記憶させる。
図２は、差分測色値記憶部１６に記憶されているプロセス補正値テーブルの構成例を示す図である。図２（ａ）は、プロセス補正値テーブルにおける差分測色値テーブルを示し、基準用紙のプロセスインキ組合せと、このプロセスインキ組合せに対応する差分測色値が記憶されている。図２（ｂ）は、プロセス補正値テーブルにおける差分予測値テーブルを示し、他用紙のプロセスインキ組合せと、このプロセスインキ組合せに対応する差分予測値が記憶されている。すなわち、プロセスインキ組合せ、すなわちＣＭＹＫの各々のプロセスインキの制御値の組合せ毎に、差分測色値テーブルにおいて差分測色値、差分予測値テーブルにおいて差分予測値の各々が求められて記憶されている。
【００３８】
図１に戻り、測色値補正部１３は、差分測色値記憶部１６の差分測色値テーブルから、順次、プロセスインキ組合せ及びこのプロセスインキ組合せに対応する差分予測値（ΔＬ１’，Δａ１’，Δｂ１’）あるいは差分測色値（ΔＬ１，Δａ１，Δｂ１）の各々を読み出す。そして、測色値補正部１３は、読み出したプロセスインキ組合せと同一のプロセスインキの組合せを有するインキ組合せを、再現色プロファイル記憶部１４の再現色プロファイルテーブルから検出する。測色値補正部１３は、検出されたインキ組合せ各々の予測測色値（Ｌ１＿ｎ，ａ１＿ｎ，ｂ１＿ｎ）を読み出し、読み出した予測測色値（Ｌ１＿ｎ，ａ１＿ｎ，ｂ１＿ｎ）に対して、基準用紙の再現色プロファイルであればプロセスインキ組合せの差分測色値を加算し、他用紙の再現色プロファイルであればプロセスインキ組合せの差分予測値を加算する。
【００３９】
測色値補正部１３は、加算して求めた補正測色値（Ｌ１Ｃ＿ｎ，ａ１Ｃ＿ｎ，ｂ１Ｃ＿ｎ）を、再現色プロファイルテーブルの加算対象の予測測色値（Ｌ１＿ｎ，ａ１＿ｎ，ｂ１＿ｎ）に対して上書きし（変更し）、予測測色値の補正を行う。ここで、他用紙の場合、Ｌ１Ｃ＿ｎ＝Ｌ１＿ｎ＋ΔＬ１’、ａ１Ｃ＿ｎ＝ａ１＿ｎ＋Δａ１’、ｂ１Ｃ＿ｎ＝ｂ１＿ｎ＋Δｂ１’であり、基準用紙の場合、Ｌ１Ｃ＿ｎ＝Ｌ１＿ｎ＋ΔＬ１、ａ１Ｃ＿ｎ＝ａ１＿ｎ＋Δａ１、ｂ１Ｃ＿ｎ＝ｂ１＿ｎ＋Δｂ１である。また、ｎは、１〜ｍの整数であり、ｍは、同一のプロセスインキ組合せを有するインキ組合せの数である。
【００４０】
図３は、本実施形態におけるＬ＊ａ＊ｂ＊色空間での予測測色値の補正を説明する図である。図３において、疑似測定測色値（Ｌｐ１，ａｐ１，ｂｐ１）と、予測測色値（Ｌ１＿０，ａ１＿０，ｂ１＿０）との差分である差分予測値（ΔＬ１’，Δａ１’，Δｂ１’）が求められる。言い換えると、補正測色値（Ｌ１Ｃ，ａ１Ｃ，ｂ１Ｃ）は、予測測色値（Ｌ１＿０，ａ１＿０，ｂ１＿０）に対して、差分測色値（ΔＬ１，Δａ１，Δｂ１）から求めた差分測色値（ΔＬ１’，Δａ１’，Δｂ１’）を加算した結果として求められる。したがって、この差分測色値（ΔＬ１，Δａ１，Δｂ１）は、Ｌ＊ａ＊ｂ＊色空間における予測測色値（Ｌ１＿０，ａ１＿０，ｂ１＿０）の座標点と、補正測色値（Ｌ１Ｃ，ａ１Ｃ，ｂ１Ｃ）の座標点との差分ベクトルを表す。ここで、予測測色値（Ｌ１＿０，ａ１＿０，ｂ１＿０）は、インキ組合せにおける特色インキ組合せの特色インキの制御値が「０」である予測測色値を示している。
【００４１】
これにより、測色値補正部１３は、上記差分予測値（ΔＬ１’，Δａ１’，Δｂ１’）を用いて、他用紙におけるプロセスインキ組合せと同一のプロセスインキ組合せを有するインキ組合せの予測測色値を、実測の測定測色値に近い補正測色値に補正する。すなわち、測色値補正部１３は、プロセスインキ組合せが同一であれば、他用紙における特色インキの制御値が「０」でないインキ組合せ各々の予測測色値も含めて、差分予測値（ΔＬ１’，Δａ１’，Δｂ１’）により補正する。また、上述したアルゴリズムにより、測色値補正部１３は、差分測色値（ΔＬ１，Δａ１，Δｂ１）により、標準用紙の再現色プロファイルにおける予測測色値も同様に、プロセスインキ組合せが同一であれば、特色インキの制御値が「０」でないインキ組合せ各々の予測測色値も含めて、実測の測定測色値に近い補正測色値に補正する。
【００４２】
図４は、第１の実施形態における再現色プロファイルの補正の動作例を示すフローチャートである。以下、他用紙の予測測色値の補正の処理を例として説明する。
ステップＳ１１：
入出力部１１は、外部から供給される他用紙の再現色プロファイル（再現色プロファイルテーブル）を、再現色プロファイル記憶部１４に対して書き込んで記憶させる。
【００４３】
ステップＳ１２：
入出力部１１は、外部から供給される、基準用紙の基準実測プロファイル、基準予測プロファイルのそれぞれを、基準用紙プロファイル記憶部１５に対して書き込んで記憶させる。
【００４４】
ステップＳ１３：
差分測色値算出部１２は、基準用紙プロファイル記憶部１５から、基準実測プロファイル及び基準予測プロファイルの各々を読み出す。なお、本実施形態において、再現色プロファイル、基準用紙の基準実測プロファイル及び基準予測プロファイルの各々は、それぞれ１０％間隔の制御値の全てのプロセスインキ組み合わせに対応する測色値（測定予測値、予測測定値）が記述されたテーブルを持つプロファイルである。
差分測色値算出部１２は、読み込んだ基準実測プロファイルと基準予測プロファイルから、同一のプロセスインキ組み合わせに対応する測色値を読み出す。
【００４５】
そして、差分測色値算出部１２は、基準実測プロファイルにおける測定測色値と、基準予測プロファイルにおける予測測色値との差分を計算することにより、基準用紙に対するプロセス補正値である差分測色値を算出する。本実施形態においては、この差分測色値を基準用紙と異なる他用紙にもそのまま、差分予測値として適用するため、すでに述べたように、差分測色値がそのまま差分予測値として、他用紙における再現色プロファイルにおける予測測色値の補正に用いられる。
差分測色値算出部１２は、算出した差分測色値（ΔＬ１，Δａ１，Δｂ１）をプロセスインキ組合せと対応させ、差分測色値記憶部１６の差分測色値テーブルに書き込んで記憶させる。また、差分測色値算出部１２は、差分測色値と同様に、算出した差分予測値（ΔＬ１’，Δａ１’，Δｂ１’）をプロセスインキ組合せと対応させ、差分測色値記憶部１６の差分予測値テーブルに書き込んで記憶させる。
【００４６】
ステップＳ１４：
差分測色値算出部１２は、読み込んだ基準用紙プロファイルのテーブルの全てのプロセスインキ組合せに対応する差分測色値の算出が終了したか否かの判定を行う。このとき、差分測色値算出部１２は、読み込んだ基準用紙プロファイルのテーブルに記載されている全てのプロセスインキ組合せに対応する差分測色値（差分予測値）の算出が終了した場合、処理をステップＳ１５へ進める。一方、差分測色値算出部１２は、読み込んだ基準用紙プロファイルのテーブルに記載されている全てのプロセスインキ組合せに対応する差分測色値（差分予測値）の算出が終了していない場合、処理をステップＳ１３へ進める。
【００４７】
ステップＳ１５：
測色値補正部１３は、差分測色値記憶部１６の差分予測値テーブルから、記載された順番に、プロセスインキ組合せと、このプロセスインキ組合せに対応する差分予測値との各々を読み出す。
【００４８】
ステップＳ１６：
次に、測色値補正部１３は、対象プロセスインキ組合せと同一のプロセスインキ組合せを有するインキ組合せを、再現色プロファイル記憶部１４の再現色プロファイルテーブルから検出する。ここで、対象プロセスインキ組合せは、差分測色値記憶部１６の差分予測値テーブルから、記載された順番に読み出したプロセスインキ組合せを指している。
測色値補正部１３は、対象プロセスインキ組合せと同一のプロセスインキ組合せを有するインキ組合せを、再現色プロファイルテーブルに記載された順番に検出する。
【００４９】
そして、測色値補正部１３は、検出されたインキ組合せに対応する予測測色値（Ｌ１＿ｎ，ａ１＿ｎ，ｂ１＿ｎ）を、他用紙の再現色プロファイルテーブルから読み出す。
測色値補正部１３は、読み出した予測測色値（Ｌ１＿ｎ，ａ１＿ｎ，ｂ１＿ｎ）に対して、差分予測値（ΔＬ１’，Δａ１’，Δｂ１’）を加算し、補正測色値（Ｌ１＿ｎ’，ａ１＿ｎ’，ｂ１＿ｎ’）を算出する。ここで、測色値補正部１３は、補正測色値（Ｌ１＿ｎ’，ａ１＿ｎ’，ｂ１＿ｎ’）を、再現色プロファイルテーブルの予測測色値（Ｌ１＿ｎ，ａ１＿ｎ，ｂ１＿ｎ）に上書きすることにより、他用紙の再現色プロファイルテーブルの補正を行う。
【００５０】
ステップＳ１７：
測色値補正部１３は、他用紙の再現色プロファイルテーブルにおいて、対象プロセスインキ組合せと同一のプロセスインキ組合せを有するインキ組合せの全ての予測測色値（Ｌ１＿ｎ，ａ１＿ｎ，ｂ１＿ｎ）の補正が終了したか否かの判定を行う。
このとき、測色値補正部１３は、対象プロセスインキ組合せと同一のプロセスインキ組合せを有するインキ組合せの全ての予測測色値（Ｌ１＿ｎ，ａ１＿ｎ，ｂ１＿ｎ）の補正が終了した場合、処理をステップＳ１８へ進める。一方、測色値補正部１３は、対象プロセスインキ組合せと同一のプロセスインキ組合せを有するインキ組合せの全ての予測測色値（Ｌ１＿ｎ，ａ１＿ｎ，ｂ１＿ｎ）の補正が終了していない場合、処理をステップＳ１６へ進め、再現色プロファイルテーブルにおける残りのインキ組み合わせの予測測色値（Ｌ１＿ｎ，ａ１＿ｎ，ｂ１＿ｎ）の補正を行う。
【００５１】
ステップＳ１８：
測色値補正部１３は、差分測色値記憶部１６の差分測色値テーブルにおける全てのプロセスインキ組合せの差分予測値（ΔＬ１’，Δａ１’，Δｂ１’）の読み出しが終了したか否かの判定を行う。
そして、測色値補正部１３は、差分測色値テーブルにおける全てのプロセスインキ組合せの差分予測値（ΔＬ１’，Δａ１’，Δｂ１’）の読み出しが終了した場合、再現色プロファイルの補正処理を終了する。一方、測色値補正部１３は、差分測色値テーブルにおける全てのプロセスインキ組合せの差分予測値（ΔＬ１’，Δａ１’，Δｂ１’）の読み出しが終了していない場合、処理をステップＳ１５へ進め、次のプロセスインキ組合せの差分予測値（ΔＬ１’，Δａ１’，Δｂ１’）を用い、予測測色値（Ｌ１＿ｎ，ａ１＿ｎ，ｂ１＿ｎ）の補正の処理を行う。
上述した処理において、すでに述べたように、測色値補正部１３は、基準用紙の再現色プロファイルにも同様に補正を適用でき、基準用紙の再現色プロファイルの予測測色値を、差分測色値を用いて補正測色値に補正する。
【００５２】
上述したように、本実施形態においては、プロセスインキ組合せに対し、基準用紙のプロファイルから算出したプロセス補正値である差分測色値を、他用紙のプロセス補正値である差分予測値として適用し、この差分予測値のプロセスインキ組合せと同一のプロセスインキ組合せを有するインキ組合せの予測測色値を補正するため、差分予測値によるインキ組合せにおける予測測色値の補正を、制御値が「０」でない特色インキ組合せを含むインキ組合せにも適用させることができ、プロセスインキのみの場合とプロセスインキと特色インキとの組合せの場合とで整合性がとれた補正を行うことが可能となる。
【００５３】
なお、本実施形態において、再現色プロファイル、基準用紙の基準実測プロファイル、基準用紙の基準予測プロファイルの各々は、共通の（１０％刻みの）制御値の組み合わせに対する測色値が記述されたテーブルを保持するとしたが、これに限定されるものではない。例えば、再現色プロファイルが異なる制御値の幅（例えば５％刻み）に対応するテーブルを持つ場合には、ステップS１３における差分測色値の計算は、５％刻みなどの任意の割合の刻み幅の全ての制御値の組み合わせに対して、基準用紙プロファイルのそれぞれのテーブルを補間計算して求めた測色値から、差分測色値、差分予測値の計算を行うようにしても良い。
【００５４】
＜第２の実施形態＞
以下、本発明の第２の実施形態について、図面を参照して説明する。
図５は、本発明の第２の実施形態による再現色プロファイル補正システム１Ａの構成例を示すブロック図である。
図５において、再現色プロファイル補正システム１Ａは、入出力部１１、差分測色値算出部１２、測色値補正部１３、再現色プロファイル記憶部１４、基準用紙プロファイル記憶部１５、差分測色値記憶部１６及び差分予測値変換部１７の各々を備えている。以下、第１の実施形態と同様な構成については、同一の符号を付し、説明を省略する。以下、第１の実施形態と異なる構成及び動作について説明する。
【００５５】
第１の実施形態においては、他用紙の再現色プロファイルにおける予測測色値の補正に用いる差分予測値として、基準用紙の差分測色値をそのまま適用していた。しかしながら、用紙の種類（マット紙や、上質紙など）によっては、基準用紙の差分測色値をそのまま、他用紙の差分予測値として適用すると、他用紙の再現プロファイルにおける予測測色値に対して精度の高い補正を行なうことができない。
第２の実施形態において、差分予測値変換部１７は、基準用紙と他用紙との色域の広がりの違いを考慮した、色域の差を調整するパラメータαを差分測色値に乗算し、この乗算結果を他用紙で用いる差分予測値とする。
【００５６】
すなわち、差分予測値変換部１７は、以下の演算を行ない、基準用紙の差分測色値から、この差分測色値を適用する他用紙の差分予測値への変換処理を行なう。
差分予測値（ΔＬ１’，Δａ１’，Δｂ１’）
＝α・差分測色値（ΔＬ１，Δａ１，Δｂ１）
このとき、差分予測値変換部１７は、差分測色値算出部１２が差分測色値記憶部１６の差分測色値テーブルに記憶した差分測色値の各々を順次読み出し、それぞれにパラメータαを乗算し、乗算結果を差分予測値として、差分予測値テーブルに対して、インキ組合せに対応して書き込むことにより、基準用紙のプロセス補正値である差分測色値から、他用紙のプロセス補正値である差分予測値への変換処理を行なう。また、差分予測値変換部１７は、上述したパラメータαを以下のように求める。
【００５７】
・第１のパラメータα
基準用紙の表面を色差計により測定して得られた明度を表すＬ＊値であるＬ＊＿ｒと、他用紙の表面を色差計により測定して得られた明度を表すＬ＊値であるＬ＊＿ｔとの比、すなわち、パラメータαとして、
α＝Ｌ＊＿ｔ／Ｌ＊＿ｒ
を用いる。
【００５８】
・第２のパラメータα
基準用紙及び他用紙の各々のプロセスインキのＣＭＹＫの各々のベタの測定測色値のＬ＊ａ＊ｂ＊色空間における座標点それぞれを、ａ＊軸及びｂ＊軸の各々からなる２次元ａ＊ｂ＊座標系（２次元平面）に投影する。そして、基準用紙における測定測色値の座標点を頂点とする多角形の面積Ｓｒと、他用紙における測定測色値の座標点を頂点とする多角形の面積Ｓｔとの比、すなわち、パラメータαとして、
α＝Ｓｔ／Ｓｒ
を用いる。
【００５９】
図６は、パラメータの説明を行なうためのＬ＊ａ＊ｂ＊色空間における測定測色値の座標点を示す概念図である。図６において、ＣＭＹＫの各々のベタの測定測色値のＬ＊ａ＊ｂ＊色空間における座標点６０１、座標点６０２、座標点６０３、座標点６０４それぞれを、２次元ａ＊ｂ＊座標系に投影し、座標点７０１、座標点７０２、座標点７０３、座標点７０４を得る。そして、座標点７０１、座標点７０２及び座標点７０３の各々を頂点とした三角形の面積を求める。そして、差分予測値変換部１７は、この処理を、基準用紙及び他用紙の各々のプロセスインキのＣＭＹＫの各々のベタの測定測色値のＬ＊ａ＊ｂ＊色空間における座標点それぞれで行なうことにより、上記第２のパラメータを求める式に用いる面積Ｓｒ及び面積Ｓｔの各々を得る。
また、図６のＬ＊ａ＊ｂ＊色空間において測定測色値の座標点が形成する多面体の表面積Ｓを用いてパラメータαを求めても良い。
【００６０】
・第３のパラメータα
基準用紙及び他用紙の各々のプロセスインキのＣＭＹＫの各々のベタの測定測色値のＬ＊ａ＊ｂ＊色空間における座標点それぞれが形成する３次元形状の体積の比を用いる。すなわち、Ｌ＊ａ＊ｂ＊色空間における基準用紙の測定測色値の座標点を頂点として形成される３次元形状の体積Ｖｒと、基準用紙の測定測色値の座標点を頂点として形成される３次元形状の体積Ｖｔとの比、すなわち、パラメータαとして、
α＝Ｖｔ／Ｖｒ
を用いる。
【００６１】
例えば、図６において、ＣＭＹＫの各々のベタの測定測色値のＬ＊ａ＊ｂ＊色空間における座標点６０１、座標点６０２、座標点６０３、座標点６０４の各々を頂点として形成される三角錐の体積を求める。そして、差分予測値変換部１７は、この処理を、基準用紙及び他用紙の各々のプロセスインキのＣＭＹＫの各々のベタの測定測色値のＬ＊ａ＊ｂ＊色空間における座標点それぞれで行なうことにより、上記第３のパラメータを求める式に用いる体積Ｖｒ及び体積Ｖｔの各々を得る。
【００６２】
・第４のパラメータα
基準用紙及び他用紙の各々のプロセスインキのＣＭＹＫＷの各々のベタの測定測色値のＬ＊ａ＊ｂ＊色空間における座標点それぞれを頂点とする３次元形状の多面体の体積の比を用いる。ここで、Ｗ（white）は、本実施形態において、用紙（基準用紙、他用紙）にいずれのインキも印刷されていない状態において、用紙の印刷面における測定測色値を示している。すなわち、Ｌ＊ａ＊ｂ＊色空間における基準用紙の測定測色値の座標点を頂点として形成される３次元形状の多面体の体積Ｖｒと、基準用紙の測定測色値の座標点を頂点として形成される３次元形状の多面体の体積Ｖｔとの比、すなわち、パラメータαとして、
α＝Ｖｔ／Ｖｒ
を用いる。
【００６３】
・第５のパラメータα
基準用紙及び他用紙の各々のプロセスインキのＣＭＹＫの各々の１０％刻みの制御値（網点面積率０％〜１００％）の測定測色値のＬ＊ａ＊ｂ＊色空間における座標点それぞれを包含する３次元形状の体積の比を用いる。ここで、他用紙においては、プロセスインキのＣＭＹＫの各々の１０％刻みの制御値に対応する予測測色値を座標点として用いる。すなわち、Ｌ＊ａ＊ｂ＊色空間において、基準用紙の測定測色値及び他用紙の予測測色値の各々の分布を囲む最小の多面体形状の包含領域の体積Ｖを用いてパラメータαを求める。
基準用紙の測定測色値の分布を包含する包含領域の体積Ｖｒと、他用紙の推定測色値の分布を包含する最小の包含領域の体積Ｖｔとの比、すなわち、パラメータαとして、
α＝Ｖｔ／Ｖｒ
を用いる。
【００６４】
本実施形態において、差分予測値変換部１７は、第１の実施形態の図４のステップＳ１５で差分予測値の読み出しが行なわれる前の過程で、パラメータαを求める。そして、差分予測値変換部１７は、差分測色値記憶部１６の差分測色値テーブルから、インキ組合せ毎の差分測色値を順次読み出す。差分予測値変換部１７は、読み出した差分測色値に対してパラメータαを乗算し、差分予測値を算出し、差分予測値テーブルにおける対応するインキ組合せに対し、算出した差分予測値を書き込んで記憶させる。
【００６５】
上述したように、本実施形態によれば、他用紙における予測測色値の補正に対して基準用紙の差分測色値を適用する際、基準用紙と他用紙との紙の特性による色域の広がりの違いを調整するパラメータαを差分測色値に乗算し、乗算結果として他用紙のプロセス補正値である差分予測値を求め、他用紙の予測測色値の補正に用いている。このため、本実施形態によれば、用紙の種類（マット紙や、上質紙など）の色域の広がりに対応した予測測色値の補正が行え、基準用紙の差分測色値を用いて、他用紙の予測プロファイルを精度の高い再現色プロファイルとして求めることができる。
【００６６】
また、本実施形態においても、第１の実施形態と同様に、プロセスインキ組合せに対し、基準用紙のプロファイルから算出したプロセス補正値である差分測色値を、他用紙のプロセス補正値である差分予測値として適用し、この差分予測値のプロセスインキ組合せと同一のプロセスインキ組合せを有するインキ組合せの予測測色値を補正するため、差分予測値によるインキ組合せにおける予測測色値の補正を、制御値が「０」でない特色インキ組合せを含むインキ組合せにも適用させることができ、プロセスインキのみの場合とプロセスインキと特色インキとの組み合わせの場合とで整合性がとれた補正を行うことが可能となる。
【００６７】
＜第３の実施形態＞
すでに述べた第１の実施形態及び第２の実施形態の場合、プロセスインキと特色インキとを組み合わせた再現色の予測測色値は、上述したプロセス補正値である差分予測値あるいは差分測色値による補正を反映させていないため、再現色予測モデルにより予測された予測測色値がそのまま用いられている状態である。
したがって、再現色予測モデルで予測した予測測色値と、基準用紙で求めた差分測色値に基づく差分予測値（プロセス補正値）を適用して補正されたプロセス補正測色値（プロセスインキの補正測色値）とが同一の再現色プロファイルにて混在する。このため、特色インキの種類あるいは制御値によっては、再現色プロファイルにおける測色値の整合性がくずれてしまう場合がある。すなわち、インキの組み合わせと測色値との対応関係において、特色インキとプロセスインキとの組合せによる再現色が、プロセス補正測色値が反映されないため、プロセスインキのみの組合せのみの再現色と比較すると不自然な色となり整合性が崩れてしまう。
【００６８】
図７は、特色インキとプロセスインキとの再現色の比較を行う評価チャートを示す図である。図７においては、色成分Ｃ、色成分Ｍ及び色成分Ｙの各々のプロセスインキを、同一の制御値（平網、例えば網点面積率がＣ＝Ｍ＝Ｙ＝３０％）の組合せで印刷した際の測色値を再現した画像を示す図である。図９におけるチャートの上半分の領域Ａは、特色インキ（例えば、黄緑色、茶色など）を、順次、１％→５％→１０％→２０％→３０％→４０％→５０％→７０％→８０％→１００％と増加させて、プロセスインキの平網の組合せに含めた場合の測色値を再現している。領域Ｂは、プロセスインキの平網の組合せのままの測色値が再現されている。
【００６９】
図７に示したチャートに対して基準用紙で求めたプロセス補正値による補正を行った場合、領域Ｂは、プロセスインキの組合せのみであるため、測色値を予測測色値からプロセス補正測色値に補正することができ、プロセスインキの組合せにより再現される測色値をより正確に表現する。
一方、領域Ａは、プロセスインキと特色インキとの組合せによる再現色の測色値であるため、上述の補正が行えず、元々の再現色予測モデルにより得られる予測測色値のままとなる。
【００７０】
この結果、すでに述べたように、領域Ａにおいて特色インキの制御値が低い場合、例えば１％の場合には、ほぼプロセスインキのみの組合せの再現色の測色値であって領域Ｂと同様の測色値である。しかしながら、領域Ａがプロセスインキと特色インキとの組合せの再現色であるため、上記補正がなされず、予測測色値のままのプロセスインキの組合せに対応している。このため、領域Ａの制御値が１％の測色値と領域Ｂの測色値とは、ほぼ同様であるはずの測色値が異なり、比較すると不自然な再現色となる。
第３の実施形態は、上述した特色インキの種類あるいは制御値によって不自然な再現色となることを抑制し、プロセスインキといずれの種類あるいは制御値の特色インキと組合せにおいても、整合性を有する再現色プロファイルを作成する。
【００７１】
以下、本発明の第３の実施形態について、図面を参照して説明する。
図８は、本発明の第３の実施形態による再現色プロファイル補正システム１Ｂの構成例を示すブロック図である。
図８において、再現色プロファイル補正システム１Ｂは、入出力部１１、差分測色値算出部１２、測色値補正部１３Ａ、再現色プロファイル記憶部１４、基準用紙プロファイル記憶部１５、差分測色値記憶部１６、包含領域抽出部１８、調整係数算出部１９及び調整係数記憶部２０の各々を備えている。第１の実施形態と同様の構成については同一の符号を付し、その説明を省略する。以下、第１の実施形態と異なる構成及び動作について説明する。
【００７２】
また、本実施形態においては、第１の実施形態と同様に、測色値を示す空間をＬ＊ａ＊ｂ＊色空間として説明する。
包含領域抽出部１８は、インキ組合せにおける特色インキ組合せ毎に、Ｌ＊ａ＊ｂ＊色空間において、プロセスインキ組合せによる測色値の座標値の分布を生成する。本実施形態において、特色インキ組合せは、例えば１種類の特色インキを用いており、この１種類の特色インキの異なる制御値となる。制御値としては網点面積率を用いており、特色インキ組合せとしては、１種類の特色インキの網点面積率を０％、４０％、７０％及び１００％の各々とした組合せである。包含領域抽出部１８は、再現色プロファイル記憶部１４の再現色プロファイルテーブルから、特色インキ組合せが同一のインキ組合せを抽出し、抽出した特色インキ組合せの測色値を、Ｌ＊ａ＊ｂ＊色空間に対して分布させる。本実施形態においては、特色インキ組合せが同一である全てのインキ組合せを抽出するのではなく、このインキ組合せにおけるプロセスインキ組合せにおける色成分ＣＭＹの各々のプロセスインキの網点面積率が０％、５０％、１００％のいずれかである組合せを抽出して分布させる。
【００７３】
図９は、プロセスインキ組合せと特色インキとして黄緑色を用いた特色インキ組合せとのインキ組合せによる予測測色値の分布を示す図である。ここで、黄緑色は、特色インキのなかで比較的に薄い分類の色に属している。
図９（ａ）は、黄緑色の特色インキの網点面積率が「０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図９（ａ）は、Ｌ＊ａ＊ｂ＊色空間における予測測色値の分布を、ａ＊軸及びｂ＊軸からなる２次元ａ＊ｂ＊座標系に投影した分布図を示している。
【００７４】
図９（ｂ）は、黄緑色の特色インキの網点面積率が「４０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図９（ｂ）は、図９（ａ）と同様に、Ｌ＊ａ＊ｂ＊色空間における予測測色値の分布を、２次元ａ＊ｂ＊座標系に投影した分布図を示している。
【００７５】
図９（ｃ）は、黄緑色の特色インキの網点面積率が「７０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図９（ｃ）は、Ｌ＊ａ＊ｂ＊色空間における予測測色値の分布を、２次元ａ＊ｂ＊座標系に投影した分布図を示している。
【００７６】
図９（ｄ）は、黄緑色の特色インキの網点面積率が「１００％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図９（ｄ）は、Ｌ＊ａ＊ｂ＊色空間における予測測色値の分布を、２次元ａ＊ｂ＊座標系に投影した分布図を示している。
【００７７】
上記図９（ａ）から図９（ｄ）の各々により、特色インキの制御値の特色インキ組合せ毎に、プロセスインキ組合せにおけるプロセスインキの網点面積率の掛け合わせによるインキ組合せの予測測色値のバラツキの度合いを検出することができる。すなわち、黄緑色の特色インキ組合せにおける網点面積率の変化が、プロセスインキ組合せ毎の測色値の分布のバラツキの大きさに対して与える影響度合いを検出する。
【００７８】
図９において、上記影響度合いは、投影された測色値の分布を囲む最小の矩形状の包含領域を形成し、この包含領域（１０１、１０２、１０３、１０４）の対角線の長さに基づいて求められる。
本実施形態において、調整係数算出部１９は、特色インキ組合せの網点面積率が「０％」の場合の包含領域１０１の対角線の長さにより、特色インキ組合せの網点面積率が「０％」の包含領域１０１、「４０％」の包含領域１０２、「７０％」の包含領域１０３、「１００％」の包含領域１０４それぞれの対角線の長さを除算して、特色インキが黄緑色の場合における特色インキの網点面積率の変化によるプロセスインキ組合せ毎の測色値の分布のバラツキに対する影響度合いを示す調整係数を求める。
【００７９】
図１０は、プロセスインキ組合せと特色インキとして茶色を用いた特色インキ組合せとのインキ組合せによる予測測色値の分布を示す図である。ここで、茶色は、特色インキのなかで比較的に濃い分類の色に属している。
図１０（ａ）は、茶色の特色インキの網点面積率が「０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図１０（ａ）は、Ｌ＊ａ＊ｂ＊色空間における予測測色値の分布を、２次元ａ＊ｂ＊座標系に投影した分布図を示している。
【００８０】
図１０（ｂ）は、茶色の特色インキの網点面積率が「４０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図１０（ｂ）は、Ｌ＊ａ＊ｂ＊色空間における予測測色値の分布を、２次元ａ＊ｂ＊座標系に投影した分布図を示している。
【００８１】
図１０（ｃ）は、茶色の特色インキの網点面積率が「７０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図１０（ｃ）は、Ｌ＊ａ＊ｂ＊色空間における予測測色値の分布を、２次元ａ＊ｂ＊座標系に投影した分布図を示している。
【００８２】
図１０（ｄ）は、茶色の特色インキの網点面積率が「１００％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図１０（ｄ）は、Ｌ＊ａ＊ｂ＊色空間における予測測色値の分布を、２次元ａ＊ｂ＊座標系に投影した分布図を示している。
【００８３】
上記図１０（ａ）から図１０（ｄ）の各々により、特色インキの制御値の特色インキ組合せ毎に、プロセスインキ組合せにおけるプロセスインキの網点面積率の掛け合わせによるインキ組合せの予測測色値のバラツキの度合いを検出することができる。すなわち、茶色の特色インキ組合せにおける網点面積率の変化が、プロセスインキ組合せ毎の測色値の分布のバラツキの大きさに対して与える影響度合いを検出する。
【００８４】
図１０において、上記影響度合いは、投影された分布を囲む矩形状の包含領域を形成し、この包含領域（２０１、２０２、２０３、２０４）の対角線の長さに基づいて求められる。
本実施形態において、調整係数算出部１９は、特色インキ組合せの網点面積率が「０％」の場合の包含領域２０１の対角線の長さにより、特色インキ組合せの網点面積率が「０％」の包含領域２０１、「４０％」の包含領域２０２、「７０％」の包含領域２０３、「１００％」の包含領域２０４それぞれの対角線の長さを除算して、特色インキが茶色の場合におけるプロセスインキの網点面積率の変化による測色値のバラツキに対する影響度合いを示す調整係数を求める。
【００８５】
図１１は、特色インキの制御値毎の調整係数を示す調整係数テーブルの構成例を示す図である。調整係数テーブルは、調整係数記憶部２０に書き込まれて記憶されている。図１１（ａ）は、特色インキが黄緑色の際に、図９で述べたように、網点面積率（特色インキ制御値）を０％、２０％、４０％、６０％、８０％、１００％としたときの調整係数を求めた場合の調整係数テーブルを示している。図１１（ａ）においては、黄緑色の網点面積率０％、２０％、４０％、６０％、８０％、１００％の各々に対し、それぞれの調整係数が１．００、０．９８、０．９６、０．９４、０．９１、０．８８である。特色インキの制御値が増加するに従って調整係数が低くなっており、プロセスインキの制御値の変化がインキ組合せのバラツキの大きさに与える影響度合い（反映度合い）が低下していることが解る。すなわち、プロセスインキを予測測色値からプロセス補正測色値に起き換える際、特色インキの制御値毎に、予測測色値を変化させる差分予測値（ΔＬ１’，Δａ１’，Δｂ１’）及び差分測色値（ΔＬ１，Δａ１，Δｂ１）を変化させる必要があることが解る。
【００８６】
また、図１１（ｂ）は、特色インキが茶色の際に、図１０で述べたように、網点面積率（特色インキ制御値）を０％、２０％、４０％、６０％、８０％、１００％としたときの調整係数を求めた場合の調整係数テーブルを示している。図１１（ｂ）においては、茶色の網点面積率０％、２０％、４０％、６０％、８０％、１００％の各々に対し、それぞれの調整係数が１．００、０．８８、０．７５、０．６０、０．３３、０．０３である。黄緑色の場合と同様に、特色インキの制御値が増加するに従って調整係数が低くなっており、プロセスインキの制御値の変化がインキ組合せのバラツキの大きさに与える影響度合いが低下していることが解る。すなわち、プロセスインキを予測測色値からプロセス補正測色値に起き換える際、特色インキの制御値毎に、予測測色値を変化させる差分予測値（ΔＬ１’，Δａ１’，Δｂ１’）及び差分測色値（ΔＬ１，Δａ１，Δｂ１）を変化させる必要があることが解る。
【００８７】
図１１において、特色インキが黄緑色と茶色との場合の各々の調整係数テーブルを比較すると、黄緑色に比較して茶色の網点面積率各々の調整係数が低い。
これにより、調整係数は、制御値毎のみでなく、特色インキ毎に求める必要があることが解る。また、基準用紙及び他用紙の特性による色域の違いにより調整係数変化することが考えられ、基準用紙及び他用紙についても、調整係数をそれぞれ求める必要がある。
このため、本実施形態においては、特色インキ毎に、特色インキ組合せにおける制御値の組合せに応じた調整係数を求めている。また、本実施形態においては、特色インキを一種類のみ使用する例で説明したが、複数の異なる種類を掛け合わせる場合、掛け合わせる特色インキの各々の制御値の組合せ毎に調整係数を求める。例えば、黄緑色及び茶色の各々を掛け合わせる場合、黄緑色の網点面積率が０％、４０％、７０％、１００％のいずれかと、茶色の網点面積率が０％、４０％、７０％、１００％のいずれかとの特色インキ組合せ毎に、調整係数を求める。
【００８８】
図８に戻り、調整係数算出部１９は、掛け合わせる特色インキの各々の制御値の組合せである特色インキ組合せ毎に、特色インキの制御値の組合せである特色インキ組合せに対応する調整値を求め、特色インキ組合せ毎の調整係数テーブルを生成する。そして、調整係数算出部１９は、生成した調整係数テーブルを、特色インキ毎あるいは特色インキの掛け合わせ毎に、調整係数記憶部２０に対して書き込んで記憶させる。
測色値補正部１３Ａは、予測測色値を、差分測色値を用いて補正する際、補正対象の予測測色値のインキ組合せにおける特色インキ組合せに対応する調整係数を、調整係数記憶部２０の調整係数テーブルから読み出す。
【００８９】
そして、測色値補正部１３Ａは、補正対象の予測測色値に対応する差分予測値（ΔＬ１’，Δａ１’，Δｂ１’）を読み出し、この差分予測値（ΔＬ１’，Δａ１’，Δｂ１’）に対して上記調整係数を乗じ、調整差分予測値（ΔＬ１Ｃ’，Δａ１Ｃ’，Δｂ１Ｃ’）を生成する。測色値補正部１３Ａは、生成した調整差分予測値を補正対象の他用紙の予測測色値に対して加算する。ここで、ΔＬ１Ｃ’、Δａ１Ｃ’及びΔｂ１Ｃ’の各々は、ΔＬ１’、Δａ１’、Δｂ１’それぞれに対して調整係数を乗じた乗算結果である。測色値補正部１３Ａは、加算して求めた補正測色値（Ｌ１Ｃ−ｎ’，ａ１Ｃ−ｎ’，ｂ１Ｃ−ｎ’）を、再現色プロファイル記憶部１４の再現色プロファイルテーブルの補正対象の予測測色値（Ｌ１−ｎ，ａ１−ｎ，ｂ１−ｎ）に対して上書きし、予測測色値の補正を行う。
【００９０】
同様に、測色値補正部１３Ａは、補正対象の予測測色値に対応する差分測色値（ΔＬ１，Δａ１，Δｂ１）を読み出し、この差分測色値（ΔＬ１，Δａ１，Δｂ１）に対して上記調整係数を乗じ、調整差分測色値（ΔＬ１Ｃ，Δａ１Ｃ，Δｂ１Ｃ）を生成する。測色値補正部１３Ａは、生成した調整差分測色値を補正対象の基準用紙の予測測色値に対して加算する。ここで、ΔＬ１Ｃ、Δａ１Ｃ及びΔｂ１Ｃの各々は、ΔＬ１、Δａ１、Δｂ１それぞれに対して調整係数を乗じた乗算結果である。測色値補正部１３Ａは、加算して求めた補正測色値（Ｌ１Ｃ−ｎ，ａ１Ｃ−ｎ，ｂ１Ｃ−ｎ）を、再現色プロファイル記憶部１４の再現色プロファイルテーブルの補正対象の予測測色値（Ｌ１−ｎ，ａ１−ｎ，ｂ１−ｎ）に対して上書きし、予測測色値の補正を行う。
【００９１】
上述したように、本実施形態においては、インキ組合せの各予測測色値を、差分予測値あるいは差分測色値により補正する場合、予め特色インキ組合せ毎に調整係数を求め、このインキ組合せの特色インキ組合せに対応する調整係数を、プロセスインキ組合せに対応する差分予測値及び差分測色値の各々に乗じ、調整差分予測値、調整差分測色値それぞれを生成している。これより、本実施形態によれば、算出した差分予測値及び調整差分測色値の各々によって予測測色値を補正するため、特色インキの組合せに対応したプロセスインキの変化の影響度を、他用紙及び基準用紙の各々の補正測色値に対して反映させることができ、第１の実施形態に比較して、プロセスインキのみの場合とプロセスインキと特色インキとの組み合わせの場合とで、より高い整合性がとれた再現色プロファイルの補正を行うことが可能となる。
【００９２】
また、本実施形態において、調整係数算出部１９は、調整係数を求める際、特色インキの網点面積率におけるプロセスインキ組合せ毎のＬ＊ａ＊ｂ＊色空間における予測測色値の分布を、２次元ａ＊ｂ＊座標系に投影した分布を包含する矩形状の包含領域の対角線の長さを用いている。
しかしながら、調整係数算出部１９は、上記矩形状の包含領域の面積、あるいは包含領域の周囲の長さを用いて調整係数を求めるように構成しても良い。
【００９３】
また、調整係数算出部１９は、Ｌ＊ａ＊ｂ＊色空間における予測測色値の分布を包含する最小の直方体形状を包含領域として、この包含領域の体積、表面積あるいは対角線の長さを用いて調整係数を求めるように構成しても良い。
【００９４】
また、調整係数算出部１９は、Ｌ＊ａ＊ｂ＊色空間に分布した予測測色値が全て包含される最小の３次元曲面を包含領域として、この包含領域の体積、表面積あるいは長径の長さ（主軸の長さ）を用いて調整係数を求めるように構成しても良い。
【００９５】
また、調整係数算出部１９は、Ｌ＊ａ＊ｂ＊色空間に分布した予測測色値が全て包含される最小の３次元曲面を２次元ａ＊ｂ＊座標系に投影し、投影された２次元形状を包含領域として、この包含領域の面積、周囲の長さあるいは長径の長さを用いて調整係数を求めるように構成しても良い。
【００９６】
なお、本発明における図１の再現色プロファイル補正システム１、図５の再現色プロファイル補正システム１Ａ及び図８の再現色プロファイル補正システム１Ｂの各々の機能を実現するためのプログラムをコンピュータ読み取り可能な記録媒体に記録して、この記録媒体に記録されたプログラムをコンピュータシステムに読み込ませ、実行することにより再現色プロファイルにおける測色値の補正の制御を行ってもよい。なお、ここでいう「コンピュータシステム」とは、ＯＳや周辺機器等のハードウェアを含むものとする。
また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９８】
１，１Ａ，１Ｂ…再現色プロファイル補正システム
１１…入出力部
１２…差分測色値算出部
１３，１３Ａ…測色値補正部
１４…再現色プロファイル記憶部
１５…基準用紙プロファイル記憶部
１６…差分測色値記憶部
１７…差分予測値変換部
１８…包含領域抽出部
１９…調整係数算出部
２０…調整係数記憶部
１０１，１０２，１０３，１０４，２０１，２０２，２０３，２０４…包含領域
【図１】
2018074542.tif 000003
【図２】
2018074542.tif 000004
【図３】
2018074542.tif 000005
【図４】
2018074542.tif 000006
【図５】
2018074542.tif 000007
【図６】
2018074542.tif 000008
【図７】
2018074542.tif 000009
【図８】
2018074542.tif 000010
【図９】
2018074542.tif 000011
【図１０】
2018074542.tif 000012
【図１１】
2018074542.tif 000013